(57)【要約】  遠隔制御装置（１０）は、タッチセンサ式制御パネル（２７）と、符号化された信号（１７）を送信する送信部（１８、３３）を有する。符号化された信号（１７）は、制御パネルに接触した位置には関係なく、制御パネル（２７）の連続した複数の領域に接触された動き方向（δ）に基づいて生成される。また、モーションセンサ（３１）と共同して、遠隔制御装置（１０）の動きに基づいて符号化された信号を生成することもできる。【選択図】図１
2011530914.tif 000002
【特許請求の範囲】
【請求項１】
タッチセンサ式制御装置表面（２７）と、
前記タッチセンサ式制御装置表面（２７）のタッチに応じて、符号化された信号（１７）を送信する送信部（１８、３３）とを備え、
前記送信部（１８、３３）は、前記タッチセンサ式制御装置表面（２７）のタッチされた場所には関係なく、前記タッチセンサ式制御装置表面（２７）の連続した複数の領域へのタッチの動き方向（δ）に応じて、前記符号化された信号（１７）を生成する
遠隔制御装置。
【請求項２】
モーションセンサ（３１）及び位置センサ（３０）の少なくとも一方を更に備え、
前記位置センサ（３０）及び前記モーションセンサ（３１）の少なくとも一方の出力信号に応じて、１つ以上の遠隔制御対象電化製品（１）の電源を切る信号を含む、予め定められた符号化された信号（１７）を生成する請求項１に記載の遠隔制御装置（１０）。
【請求項３】
前記制御装置（１０）が、前記タッチセンサ式制御装置表面（２７）が地球中心の方向に、垂直に方向づけられた又は下方を向いている位置にあるときに、１つ以上の遠隔制御対象電化製品の電源を切る予め定められた符号化された信号（１７）を生成する請求項２に記載の遠隔制御装置。
【請求項４】
前記送信部（１８、３３）は、前記タッチセンサ式制御装置表面のタッチされた場所には関係なく、前記タッチセンサ式制御装置表面（２７）の連続した複数の領域へのタッチの複数の異なる連続した動き方向（δ）に応じて、前記符号化された信号（１７）を生成し、
前記遠隔制御装置（１０）は、中央装置（１）と共同した双方向動作によって、単一の動き方向（δ）のみにおける前記タッチセンサ式制御装置表面（２７）の連続した複数の領域へのタッチを無視する動作モードに切り替えられる請求項１から３のいずれか１項に記載の遠隔制御装置。
【請求項５】
識別デバイス（３７）を更に備え、
前記符号化された信号（１７）は更に、前記識別デバイス（３７）の出力信号に応じて生成される請求項１から４のいずれか１項に記載の遠隔制御装置。
【請求項６】
タッチセンサ式制御装置表面をタッチすることによって、予め定められた符号化された信号が送信され、
前記タッチセンサ式制御装置表面（２７）の連続した複数の領域へのタッチの動き方向（δ）が確定され、
前記タッチセンサ式制御装置表面（２７）のタッチされた場所には関係なく、前記動き方向（δ）に応じて前記予め定められた符号化された信号が選択されるマルチメディアシステムの遠隔制御方法。
【請求項７】
前記タッチセンサ式制御装置表面の連続した複数の領域へのタッチの複数の連続した動き方向が確定され、
前記タッチセンサ式制御装置表面（２７）のタッチされた場所には関係なく、複数の検知された前記動き方向（δ）に応じて前記予め定められた符号化された信号が選択され、
前記遠隔制御装置は更に、中央装置（１）と共同した双方向動作によって、単一の動き方向（δ）のみのタッチは無視される動作モードに切り替えられる請求項６に記載の方法。
【請求項８】
それぞれの区域に予め定められた符号化された信号が割り当てられており、
前記動き方向（δ）が、角度範囲におけるどの区域にあるかが検証される請求項６に記載の方法。
【請求項９】
前記区域のそれぞれは、９０°の角度範囲を有する請求項８に記載の方法。
【請求項１０】
前記区域のそれぞれは、４５°の角度範囲を有する請求項８に記載の方法。
【請求項１１】
前記遠隔制御装置の動きは、位置センサによる前記遠隔制御装置の位置及びモーションセンサの少なくとも一方によって検知され、
予め定められた符号化された信号は、前記モーションセンサ及び前記位置センサの少なくとも一方の出力信号に応じて生成される請求項６から１０のいずれか１項に記載の方法。
【請求項１２】
前記モーションセンサ及び前記位置センサの少なくとも一方の出力信号に応じて符号化された前記信号は、１つ以上の遠隔制御対象電化製品の電源をオン及びオフの少なくとも一方にする請求項１１項に記載の方法。
【発明の詳細な説明】
【技術分野】
【０００１】
本発明は、請求項１のプリアンブルに準じた遠隔制御装置及び請求項６のプリアンブルに準じた遠隔制御方法に関する。
【背景技術】
【０００２】
そのような遠隔制御装置は、特許文献ＤＥ１９６５３８４０Ａ１に開示されている。当文献では、ハウジング、送信手段、当送信手段を制御する電子制御回路、及び当制御回路に電気エネルギーを供給する太陽電池を有する、自動車における遠隔作動中央ロッキングシステムのための携帯送信器が開示されている。
【０００３】
特許文献ＧＢ２３９６０４６Ａには、透明プラスチックのハウジングを有するアラームコードトレーラが開示されている。ハウジングの中には、アラームの際に光り始める白熱電球が配置されている。また、アラームを作動及び解除するための２つのプッシュボタンスイッチがハウジング上に設けられている。
【０００４】
特許文献ＵＳ２００３／０２０６１２８Ａ１には、透明なアクリルハウジングを有するユニバーサル遠隔制御装置が開示されている。ハウジングの中には、白熱電球が配置されている。探知器により、白熱電球を点灯すること、及び音響送信器を作動することができる。
【０００５】
特許文献ＤＥ２０２００５０１５１６５Ｕ１には、キーパッド及びタッチスクリーン型ディスプレイが形成された、自動車用遠隔制御ロッキングデバイスが開示されている。
【０００６】
テレビセット、ラジオ、ビデオレコーダ、衛星放送受信器及びＤＶＤプレーヤ等の電子電化製品、並びに、照明設備、ロールダウンシャッター及びガレージドア等の他の家庭電化製品を制御する遠隔制御装置は今日非常に人気がある。これらの遠隔制御装置は大抵、バッテリコンパートメントを有するハウジング、電子部品を有するプリント回路基板、キーパッド、及び、赤外線送信ダイオード等の送信部を備えている。プッシュボタンの１つは大抵、遠隔制御装置をオン・オフする切り替えに使用される。その他のプッシュボタンは、それぞれ１つ以上の機能が割り当てられ、ボタンが押された場合に、符号化された赤外線信号が制御対象電化製品に送信される。
【０００７】
そのような遠隔制御装置の問題点は、管理し難い数多くのプッシュボタンである。多くの遠隔制御装置は、４０個以上のボタンを有しているため、使用者の多くは、それらの機能に注意を払うことができない。
【０００８】
このため、特許文献ＥＰ１１８５９２２Ｂ１は、マルチメディアシステムの使用を単純化すべく、ユーザインターフェースにおけるスクロールクロスポイントナビゲーションを提案している。全ての利用可能な機能をテレビ受信器等のモニタスクリーン上に呼び出すことができるので、ごく少数のボタンのみを有する遠隔制御装置を必要とする。
【０００９】
個別に機械的に作動されるプッシュボタンを有するキーパッドに代えて、一般的に知られているようなタッチパッド等のタッチセンサ式キーパッド（ＤＥ１９９０８４０６Ａ１、ＤＥ１００１３４４４Ａ１及びＥＰ０８１３７４３Ｂ１を参照）、または、いわゆるタッチスクリーン、すなわち同時タッチセンサ式のディスプレイデバイス（ＵＳ５２３７３２７（Ａ）、ＵＳ５３５３０１６（Ａ）又はＥＰ０９４６９１８Ｂ１を参照）の使用がまた提案されている。
【００１０】
タッチパッド及びタッチスクリーンは一般的に良く知られており、特許文献ＷＯ９２／０４７２４Ａ１又はＤＥ２０２００７００１６２４Ｕ１等に開示されている。これらは、容量性、抵抗性、光学的又は音波（表面音響波）を含む多様な方式によって動作する。「タッチセンサ式キーパッド」又は「タッチセンサ式制御装置表面」を含むこれらのデバイスは、電気信号を生成し、電気信号は通常、物体又は指でタッチされたデバイスの表面上の１つ以上の場所と区別して適合している。
【００１１】
このため、個別のメカニカルボタンを有するキーパッドの機能は、キーパッドの限定領域に限定機能を割り当てることによって、タッチセンサ式キーバッドに置き換えることができる。
【００１２】
先に述べた特許文献ＷＯ９２／０４７２４、ＤＥ１９９０８４０６Ａ１及びＵＳ５，３５３，０１６においては、キーパッドは透明であり、例えば、透明ガラスプレートによって構成される。
【発明の概要】
【発明が解決しようとする課題】
【００１３】
それでもなお、ここでの問題は、遠隔制御装置を動作させるためには、特定の正確な所定の領域をユーザがタッチする必要があることである。このため通常、所望の機能に対する正確な物理的位置をタッチするためにユーザはタッチスクリーンを見る必要ある。これには、テレビ又は映画を観ている場合等の暗い場所では、困難が伴う。また、視覚障害を有する人にとってもこれは困難である。例えば、「遠視（老眼）」で近くのものを見るためには眼鏡を必要とする人に対して、モニタスクリーンが近くに位置している場合である。
【００１４】
このため、本願の課題は、視認しなくても完全に動作できるようにするために、先に述べた種類の遠隔制御装置を向上することである。
【００１５】
この課題は、請求項１に示された特徴によって解決される。本願の有利な実施形態及び改良が従属項で規定される。
【００１６】
本願の基本方式は、タッチセンサ式制御装置表面に対するタッチの動き方向の評価、及び、その後の、対応して符号化される遠隔制御装置の信号の決定に基づくものである。従って、これは制御装置表面のタッチされた正確な場所とは関係なく行なわれる。言い換えれば、ユーザは、制御装置表面上に渡って指又は他の物体を動かすことによって、制御装置表面上の「任意の場所で」動きを実行するだけでよい。するとすぐに、対応する制御信号が場所ではなく動きの方向に応じて生成される。
【００１７】
大抵の場合、メニュー制御ユーザ動作のためには、４つの制御コマンドだけで十分である。すなわち、コマンド「上」、「下」、「左」及び「右」である。これらの４つの制御コマンド及び関連した符号化された信号は、所定の領域内の所定の動き方向に割り当てられる。このため、４つのコマンドに対して、１つの円において４つの象限を規定するだけで十分である。例えば、デカルト座標系において、垂直軸を角度０°と規定した場合には、−４５°から＋４５°までの角度によって規定された第１の象限が、垂直方向Ｖ＋を規定する。角度１８０°から＋／−４５°までの象限は、垂直方向Ｖ−を規定する。＋／−９０°から＋／−４５°までの領域のその他の２つの象限は、水平方向Ｈ＋及びＨ−を規定する。
【００１８】
このため、方向Ｖ＋に割り当てられた機能を呼び出すためには、ユーザは、キーパッドの任意の場所で、第１の象限（−４５°から＋４５°）内の方向に沿って動かすだけでよい。当然、例えば、先に述べた領域をより狭くして、例えば、４５°の角度領域をそれぞれ有する８区分を規定することで、４つ以上の動き方向を規定することもできる。これにより、ユーザは更なる４つの斜め動き方向、ひいては更なる４つのコマンドを得ることができる。
【００１９】
ユーザはまた、制御装置表面上の任意の場所において、同一方向における素早い往復運動によって、または、同一の場所における短い１回又は繰り返しタッチによって、所定の信号を生成することができる。
【００２０】
特定のユーザのパーソナル化に対して、例えば、指紋読み取り器の方式で、タッチセンサ式制御装置表面の一領域又は好ましくはタッチセンサ式制御装置表面の外側である遠隔制御装置の幅の狭い側の面上に配置された識別装置がまた提供されてもよい。いずれの場合にも、指紋を「読み取らす」べく、ユーザは、指を、好ましくは親指を、指紋読み取り器に沿って動かせばよい。
【００２１】
遠隔制御装置のハウジングには、位置又はモーションセンサがまた配置されてもよい。位置センサの場合には、遠隔制御装置の位置に応じて、所定の信号が１つ以上の遠隔制御対象電化製品に送信され得る。位置センサに対しては、タッチセンサ式制御装置表面が下向き（地球中心に向かう方向）を指すような位置に遠隔制御装置がある場合に、テレビセット等の遠隔制御対象電化製品に対してシャットオフ信号を送信することが特に好ましい。この信号は、例えば、遠隔制御対象電化製品を「スタンバイ」モードにする。一方で、遠隔制御装置が、タッチセンサ式制御装置表面が上方を指すような位置に向きを変えられた場合には、ターンオン信号が１つ以上の遠隔制御対象電化製品に送られる。これにより、遠隔制御対象電化製品は、「スタンバイ」モードからアクティブモードに切り替わる。
【００２２】
遠隔制御装置が立てられた場合に、つまり、タッチセンサ式制御装置表面の面が垂直方向を指す場合に、これらの信号がまた送られてもよい。
【００２３】
更にまた、モーションセンサは、所定の動きに対して一定の符号化された信号を割り当てることができる。当信号は、所定の動きが実行された場合に自動的に送信される。例えば、選択機能のためのコマンドは、遠隔制御装置の所定の動きとつながりがあってよい。上記の意味において、この選択機能は、モニタスクリーン上に表示された特定の機能の作動を意味する。ここでまた繰り返すが、送信されるべき所定の信号は遠隔制御装置に割り当てられる。
【００２４】
更に、動き又は位置の変更及びタッチセンサ式制御装置表面のタッチが特定の期間なかった場合に、遠隔制御装置自身が、パワーセイビングモードに切り替えられてもよい。一方で、遠隔制御装置自身が動かされた場合、位置の変更があった場合、又はタッチセンサ式制御装置表面がタッチされた場合には、遠隔制御装置がパワーセイビングモードからアクティブ動作モードに切り替えられてもよい。
【００２５】
好ましくは、タッチセンサ式制御装置表面は、遠隔制御装置の表面全体を占有する。
【００２６】
本発明の１つの改良例によればまた、制御対象電化製品との遠隔制御装置の双方向動作において、より複雑な動きパターンを有する他の動きを有効にし得る。そこで制御装置表面の連続した領域をタッチする直線動作が無効にされる。ここでは、例えば、完全円、半円及び４分円を含む円運動、又は、＋記号、文字又は数字等のより複雑な動きが可能である。これらの動きパターンはまた、制御装置表面のタッチされる場所には何ら依存しない。動き方向の長さには無関係であり単に単一の動き方向に関係する単純な機能は無効にされるべきである。さもなければ、幾つかの異なる連続した動き方向からなるより複雑なパターンは複数のコマンドを生成してしまうだろう。この改良した動作モードへの切り替えは、好ましくは、遠隔制御対象電化製品と遠隔制御装置との間の双方向動作をもたらす遠隔制御対象電化製品のメニューシステムの機能として生じる。従って、この場合、遠隔制御装置は、遠隔制御対象電化製品から対応した切り替え信号を受信する。
【００２７】
タッチセンサ式制御装置表面は、良く知られた方式によって動作され得る。表面における容量性センシングが好ましい。しかし、感圧センサ、表面波原理によって作用する超音波センサ、熱センサ又は光学センサであってもよい。
【００２８】
遠隔制御装置の電力供給は、バッテリ又はコンデンサ等の貯蓄部を充電する太陽電池から供給されてもよい。バッテリを使用する場合にはまた、誘導的充電、又は充電所と相互作用するガルバニックコンタクトによる充電があり得る。
【００２９】
本発明の更なる詳細は、以下に示す図面と関連して、実施例の以下の記載において説明される。
【図面の簡単な説明】
【００３０】
【図１】本発明に準じた、遠隔制御装置を備えるマルチメディアシステムの基本図を示す。
【図２】本発明に準じた、遠隔制御装置の一つの実施例における概略分解図を示す。
【図３】動き方向を説明する基本図を示す。
【図４】制御オプションを説明するタッチセンサ式制御装置パネルの概略上面図を示す。
【図５】制御オプションを説明するタッチセンサ式制御装置パネルの概略上面図を示す。
【図６】本発明に用いられる制御装置表面の概略上面図を示す。
【図７】本発明に用いられる制御装置表面の概略上面図を示す。
【発明を実施するための形態】
【００３１】
図１は、中央制御装置１、中央制御装置１に接続されたモニタスクリーン３を有するテレビセット２、並びに、ビデオレコーダ４（ＶＣＲ）、衛星放送受信器５（ＳＡＴ）、ＣＤプレーヤ６（ＣＤ）及びＤＶＤプレーヤ７（ＤＶＤ）等の他の複数のマルチメディア電化製品４、５、６及び７を備えるマルチメディアシステムを示す。概して、ドアオープナー、照明制御装置、アラームシステム、ドアロッキングシステム、暖房システム、ビデオカメラ及びその他の家庭電化製品等の特定の制御可能な電気電化製品が接続されてもよい。最後に述べると、中央制御装置はまた、インターネット、電話網、又は他の通信ネットワークへの接続等の他の通信接続８を有してもよい。
【００３２】
中央制御装置に接続された全ての電化製品は、中央制御装置１と共同して遠隔制御装置１０から制御できる。これは、例えば、モニタスクリーン３上に表示されたメニューシステムによって行なわれる。メニューシステムは、原則として、複数の列１２及び複数の行１３を有するマトリクス１１の形式で編成される。マトリクスの各フィールドは、接続された電化製品の１つに対する個別の制御コマンドと対応している。マトリクスの各フィールドは、遠隔制御装置１０を介して作動され得る。これは、マトリクス１１の全体が水平及び／又は垂直方向にシフトして動かされることで、選択されたフィールドが、モニタスクリーン３の所定の場所に不変的に位置するフォーカス領域１４へシフトされるように行なわれるのが好ましい。このメニューシステムは、ただ１つの列１２及び１つの行１３だけが目に見えて、図１のハッチングによって示されたようにマトリクスの他の全てのフィールドがマスクされたときに一層明確になる。この場合、フォーカス領域１４は、可視列１２及び可視行１３の交差部に位置する。
【００３３】
垂直方向矢印１５及び水平方向矢印１６によって示されたとおり、マトリクス全体が垂直方向及び水平方向に「スクロール」され得る。フォーカス領域１４には、ただ１つのフィールドが常に見られる。このようにして、特定のフィールドの選択を実現でき、このため、４つの動きコマンド、すなわち、コマンド「上」、「下」、「左」及び「右」による特定のコマンドの選択が実現できる。特定の電化製品に対する対応した機能を有する所望のフィールドがフォーカス領域１４にある場合には、選択又は起動コマンドを必要とするだけである。更に、必要ならば、幾つかのメニューレベルを通って「逆戻り」させる「リターン」コマンドが提供されることが好ましい。
【００３４】
そのようなメニューシステムにおいては、理論的には、６つの制御コマンドが必要とされるが、当然ながら、特別の用途に対して追加のコマンドがまた提供されてもよい。
【００３５】
少なくともここに述べた６つの制御コマンド及びその他の追加の制御コマンドは、キーレス（鍵盤の無い）遠隔制御装置１０によって生成され、符号化された信号として中央制御装置１に送られる。これは、好ましくは、矢印１７によって示されたとおり、符号化された赤外線信号を用いた無線によって行なわれる。
【００３６】
従って、遠隔制御装置１０は、送信ダイオードを有する送信部１８を備え、中央制御装置１は、受信ダイオード２０を有する対応した受信部１９を備える。理論的には、フィードバックメッセージを制御装置１から遠隔制御装置１０に送信すべく、又は、遠隔制御装置１０のソフトウエアの「更新」を実行すべく、中央制御装置１と遠隔制御装置１０との間において双方向通信が提供され得る。
【００３７】
矢印１５及び１６に従ってマトリクスをシフトする先に述べたコマンド及びその他の制御コマンドに対して、先行技術のようにスイッチ面の固定された所定の領域をタッチすることによってではなく、遠隔制御装置１０のタッチセンサ式制御装置表面を渡って指又は他の物体を移動させることのみで、これらのコマンドが呼び出せるように遠隔制御装置１０は構成される。矢印１５及び１６の方向と同様に、矢印２１及び２２で示されたとおり、遠隔制御装置１０の制御装置表面上において対応する動きが実行され得る。
【００３８】
図２に、遠隔制御装置１０の分解図を示す。遠隔制御装置１０は、ハウジング２５及びハウジングカバー２６を備える。ハウジングカバー２６の外側には、略全面に渡って、タッチセンサ式制御装置表面２７が設けられる。カバー２６及び制御装置表面２７は透明である。例えば、カバー２６は、アクリルガラス等の、ガラス又は透明プラスチックから構成される。組み立てられた状態では、カバー２６は、ハウジング２５としっかりと、少なくとも水噴霧耐性があるように接続される。ハウジング２５もまた、ガラス又はその他の透明材料から構成されてもよい。しかしまた、ハウジングを他の如何なる材料、特にプラスチックで作ることも可能である。制御装置表面２７以外の必要とされる全ての部品は、ハウジングの中に配置される。このため、ハウジングの中には、マイクロプロセッサ２８及び他の電子部品２９が含まれる。電子部品２９の１つは、位置センサ３０である。他の部品として、モーションセンサ３１があってもよい。他の部品は、赤外線送信ダイオード３３を駆動するドライバ回路３２である。赤外線送信ダイオード３３はまた、更に受信ダイオードとして構成されてもよい。これにより、ドライバ回路３２はまた、受信部の機能を呈する。更に、部品は、少なくとも１つのメモリモジュール３４を含む。メモリモジュール３４はまた、マイクロプロセッサ２８と集積化されてもよい。選択的に、別のメモリモジュール３５がいわゆるＳＩＭカード３５の形で提供される。
【００３９】
選択的に、例えば、良く知られたＵＳＢ（Ｕｎｉｖｅｒｓａｌ Ｓｅｒｉａｌ Ｂｕｓ）ポートの形で外部インターフェース３６が提供され得る。更に、指紋読み取り器である識別デバイス３７が提供される。識別デバイス３７は、例えばここでは、ハウジング２５の幅の狭い側３８の方向を指すように、従って、制御装置表面２７と分離するように配置される。しかしまた、そのような指紋読み取り器を制御装置表面２７内に配置することも可能である。ここまで述べてきた全ての部品は、配線３９によって、直接的又は間接的に、マイクロプロセッサ２８に接続される。
【００４０】
遠隔制御装置１０の電源供給は、コイル４１によって誘導的に充電されるバッテリ４０から行なってもよい。その代わりに、バッテリ４０はまた、ＵＳＢポート３６によって充電されてもよい。最後に述べると、制御装置表面２７と離れた、ハウジング２５の下側に、バッテリ４０を充電する太陽電池を設けることもまた可能である。
【００４１】
遠隔制御装置１０は、全ての部分において、ボタン又は機械的に起動される外部スイッチを有さない。代わりに、位置センサ３０に連動して、その位置のみによって動作される。場合により、これに加え、モーションセンサ３１に連動して特定の動きにより、及びまた、タッチセンサ式制御装置表面２７により作動される。このため、遠隔制御装置は、概して平坦なハウジングを有する。これにより、魅力的なデザインを生み出すだけではなく、塵又は湿気の浸透の危険性を除くことができる。更に、スイッチ及びプッシュボタン等の可動部が、例えば機械的損傷を受ける等の如何なる危険にさらされることもない。
【００４２】
遠隔制御装置の基本動作は、制御装置表面２７上の指又は他の物体の移動によって行なわれる。
【００４３】
図３に、この点を示す。ここに記した図面においては、８つの動き方向、すなわち、垂直方向「上」（Ｖ＋）、垂直方向「下」（Ｖ−）、水平方向「右」（H＋）、水平方向「左」（Ｈ−）、斜め方向「左上」（Ｄ１＋）、斜め方向「右下」（Ｄ１−）、斜め方向「右上」（Ｄ２＋）及び斜め方向「左下」（Ｄ２−）が規定される。
【００４４】
これらの８つの動き方向のそれぞれは、２２．５°の角度範囲を有する区域に組織化されている。つまり、制御装置表面２７を横切るδ方向の動きが調査され、図３で規定された区域のどれに該当するか評価される。数学的には、ベクトルが形成され、その方向又は角度δが縦軸４２等の軸に関連して決定される。
【００４５】
これは、動作が行われる制御装置表面２７上の場所には全く関係無く行なわれる点が重要である。重要な要素は、ベクトルの方向又は角度位置δだけである。
【００４６】
この点を図４及び５に関連して説明する。図４において、個々のタッチセンサ式エレメントが円の形で表されている。人が制御装置表面２７上の任意の場所のこれらのエレメントを横切って指を動かした場合には、図６において黒点で示されたとおり、個々の領域（円）が時間の経過と共に次々とタッチされるであろう。これにより、図４及び５に示した矢印に対応するベクトルが形成され、主軸４２に関連して角度δの範囲が定められる。
【００４７】
図４に示された矢印の全ては、主軸４２に対応する主方向に関連して角度δを有しており、図３においてＤ２＋で指定された区域内に含まれる。
【００４８】
同様に、図５に示された矢印の全ては、角度δを有しており、図３においてＶ＋で指定された区域内に含まれる。複数の矢印の１つに関連した角度δが複数の区域の１つにおいて認識されるたびに、関連した符号化されたコマンドが赤外線信号として送信される。図４及び５における矢印の長さはそれほど重要ではない。動きの明確な識別をする目的で、例えば、おおよそ同じ位置での繰り返しタッチ（いわゆるダブルクリック）と１つの動きとを区別する目的で、特定の最小長さだけが予め定義される。
【００４９】
多くの用途において、Ｖ＋、Ｖ−、Ｈ＋及びＨ−に対応する４つの動きコンドだけを提供すれば十分である。この場合には、個々の区域は、例えば、各主方向に対して＋／−４５°となるように、より広くなり得る。
【００５０】
図６は、タッチセンサ式スイッチング表面の上面図であって、中央領域において連続してタッチされた一連の黒点を示している。通常、始点４４から終点４５までベクトル４６が既に形成されており、そのベクトルの評価が行なわれる。しかしながら、数学的方法を用いて移動を伴う他の地点もまた考慮してベクトル４６を形成することによって、識別の精度は高められる。
【００５１】
図６の右側に、特定の機能のために用意され得る特定領域４４が示されている。例えば、テレビセットのリモコンにおいては、特定領域４４内での上方移動が音声を大きくし、下方移動が音声を小さくするように、メニュー制御を呼び出すことなく、特定の機能である音声の「ボリュームアップ」及び「ボリュームダウン」を選択できることが望ましい。テレビセットのチャンネル切り替え等の他の非常に良く使用される特定の機能に対して、その他の特定領域が提供されてもよい。図６における特定領域４４ａ等が制御装置表面２７の縁近辺に好ましくは配置され、ユーザが１つ前のメニューレベルに戻れることを可能にする「リターン」機能に割り当てられる。
【００５２】
全円４８又は半円４９の形の動き等のような他の動きによって、所定のコマンドをトリガすることも可能であることを図７で説明する。ここでは、回転の方向（時計回り又は反時計回り）が考慮されてもよい。実際にはもちろん、動作を単純にする目的で単純な幾何学的図形に固執してもよいが、文字、数字又は他の記号のようなより複雑なパターンを使用することもまた可能である。よって、制御装置表面の連続した領域へのタッチの幾つかの連続した動き方向に応じて、符号化された信号が送信部によって生成されてもよい。繰り返し述べるが、これはタッチされた特定の位置とは全く無関係である。（図６に示されたような）単一方向のみの動きからなる複数の線形動作と区別する目的で、（図７に示されたような）より複雑なパターンの認識を行なうためには、遠隔制御装置は、異なる動作モードに切り替えるべきである。動作モードの切り替えは、好ましくは、中央制御装置１（図１）によって行なわれる。その後、中央制御装置１と遠隔制御装置１０との間で双方向動作が行なわれてもよい。制御装置のメニューシステムに応じて作動されるこの動作モードにおいては、単一方向のみの動きからなる動きは無視される。さもないと、より複雑なパターンの最初の動きが、一方向の動きとされるベクトルを生成してしまうだろう。
【００５３】
選定された機能に主に割り当てられた実用的用途に対する別の重要な特定機能は、より長い経路に沿った動きを実行することなく、１つの領域が短く一度又は２度たたかれた場合である。繰り返し述べるが、この方法では、制御装置表面上のどこの場所がタッチされたかは全く重要でない。このため、ユーザは、いわゆるタッチスクリーンのように、所定の正確な領域をタッチする必要がない。
【００５４】
動作を更に簡単にする目的で、制御装置表面２７は、視覚表示部がまた装備されていてもよい。音響的情報をユーザに提供する目的で、送信された特定の信号（図１の１７）に応じた音声がまた生成されてもよい。
【００５５】
最初に述べたとおり、モーションセンサ３１（図１）によって特定の動きを検知することができ、所定のしきい値に達した場合に、特定の動きを対応する符号化された制御信号に変換することができる。動きによってトリガされた制御コマンドは、さまざまな制御対象電化製品、それ故に対応するメニューを選択することにまた用いられてもよい。遠隔制御対象電化製品は、モーションセンサ３１又は位置センサ３０によって電源のオン・オフを切り替えられてもよいことが特にまた重要である。
【００５６】
「タッチスクリーン」を用いた場合には、タッチセンサ式制御装置表面２７上に図１の各メニュー又はマトリクス１１を表示することがまた可能である。
【図１】
2011530914.tif 000003
【図２】
2011530914.tif 000004
【図３】
2011530914.tif 000005
【図４】
2011530914.tif 000006
【図５】
2011530914.tif 000007
【図６】
2011530914.tif 000008
【図７】
2011530914.tif 000009
【国際調査報告】
2011530914.tif 000010
2011530914.tif 000011
2011530914.tif 000012
2011530914.tif 000013
2011530914.tif 000014
2011530914.tif 000015
2011530914.tif 000016
2011530914.tif 000017
2011530914.tif 000018
2011530914.tif 000019